(57)【要約】【課題】  配線基板の電極端子に対する接続幅が狭い場合においても、捻れ方向の負荷に強く、剥離を防止し、電気的接続の信頼性を向上させることのできるフレキシブル回路基板を提供すること。【解決手段】  屈曲部１２ａの基端に、前記屈曲部１２ａの先端の延在方向と反対側に張り出す張出部１２ｂを形成し、接続端子１７を他の配線基板３の電極端子７に接続させるとともに、前記張出部１２ｂを前記他の配線基板３に接着させる。【選択図】      図１
2007180221.tif 000002
【特許請求の範囲】
【請求項１】
先端側がＬ字形状に屈曲した屈曲部とされ絶縁性素材からなる可撓性のフィルム基板を有し、該フィルム基板の一方の面に、導電性素材により所定パターンの電極が形成され、前記屈曲部の先端には、前記電極に連通され他の配線基板の電極端子に接続される接続端子が形成されているフレキシブル回路基板において、
前記屈曲部の基端に、前記屈曲部の先端の延在方向と反対側に張り出す張出部が形成され、前記接続端子は前記他の配線基板の電極端子に接続されるとともに、前記張出部は前記他の配線基板に接着されることを特徴とするフレキシブル回路基板。
【発明の詳細な説明】
【技術分野】
【０００１】
本発明は、他の配線基板に接続されるフレキシブル回路基板に係り、特に、他の配線基板と接続される先端側がＬ字形状をなす屈曲部とされているフレキシブル回路基板に関する。
【背景技術】
【０００２】
近年、基板上に電極ならびに電極端子が形成されている配線基板、例えば液晶表示装置における液晶表示素子の狭額縁化に伴い、この液晶表示素子を駆動するフレキシブル回路基板が接続される電極端子の狭接続幅化および短端子化が進んでいる。液晶表示素子の電極端子において、前記電極端子の端縁に沿う方向に配列された電極端子を有する場合、この特定配列の電極端子に接続されるフレキシブル回路基板の先端側にＬ字形状の屈曲部を形成し、Ｌ字形状の屈曲部を液晶表示素子の特定配列の電極端子に接続するようにしたものがある。
【０００３】
このような従来のフレキシブル回路基板が接続された配線基板を有する液晶表示素子を備えた液晶表示装置２１は、図３および図４に示すように、液晶表示素子２２と、この液晶表示素子２２に接続される液晶駆動用のフレキシブル回路基板３１およびＩＣチップ３７を備えている。
【０００４】
前記液晶表示素子２２は、ガラスやプラスチック等からなる一対の透明基板２３，２４を有しており、前記透明基板２３には前記透明基板２４よりも側方に張り出した電極端子部２３ａが形成されている。
【０００５】
前記各透明基板２３，２４の表面には相互に対向するＩＴＯからなる透明電極２５，２６が形成されており、前記透明基板２３の電極端子部２３ａには、前記透明電極２５が引き回されており、また、前記電極端子部２３ａの端縁に沿う方向に配列された電極端子２７が形成されている。
【０００６】
そして、前記各透明基板２３，２４はそれぞれ透明電極形成面を対向させて配置され、前記各透明基板２３，２４の周縁部にはシール材２８が配設されている。そして、このシール材２８と前記各透明基板２３，２４からなる空間部に液晶２９が封入されている。
【０００７】
前記フレキシブル回路基板３１は、ポリイミド等の可撓性を有する絶縁性樹脂により形成され、前記液晶表示素子２２の電極端子部２３ａにおいて、前記電極端子部２３ａの端縁に沿う方向に配列された電極端子２７に接続されるために先端部がＬ字形状に屈曲した屈曲部３２ａとされたフィルム基板３２を有している。このフィルム基板３２の一方の面には、前記屈曲部３２ａにまで到達するように所定パターンに形成された銅箔等からなる電極３３が形成されており、前記屈曲部３２ａの一部の電極３３を除いた電極３３の表面は絶縁性樹脂からなるカバーフィルム３４により被覆されている。
【０００８】
そして、露出した前記電極３３の表面にはニッケルおよび金などのメッキ３５が施され、前記液晶表示素子２２の電極端子２７に接続される接続端子３６が形成されている。
【０００９】
そして、前記液晶表示素子２２の電極端子部２３ａ上にフレキシブル回路基板３１が接続されるとともに、ＩＣチップ３７が実装されている。
【発明の開示】
【発明が解決しようとする課題】
【００１０】
前述した従来の液晶表示装置２１のように、近年の配線基板の狭額縁化に伴う電極端子部２３ａにおける狭接続幅化および短端子化により、この電極端子部２３ａにおいて、前記液晶表示素子２２の透明基板２３の電極端子部２３ａの端縁に沿う方向に配列された電極端子３６を有する場合、この特定配列の電極端子２７に接続されるフレキシブル回路基板３１の先端側にＬ字形状に屈曲した屈曲部３２ａが形成されているため、透明基板２３の電極端子２７に接続されたフレキシブル回路基板３１に捻れ方向の負荷が加わると、電極端子部２３ａとフレキシブル回路基板３１の接続部のエッジに応力が集中して接続部の剥離が生じやすかった。そして、剥離基点（図３中Ａ点）に剥離が起こると、フレキシブル回路基板３１の幅が狭いため、弱い負荷でも剥離が進行してしまうという問題があった。さらに、フレキシブル回路基板３１のフィルム基板３２の幅を広くすると、捻れにくくすることはできるが、フレキシブル回路基板３１の可撓性を損ねてしまうという問題があった。
【００１１】
そこで、本発明は、配線基板の電極端子に対する接続幅が狭い場合においても、捻れ方向の負荷に強く、剥離を防止し、電気的接続の信頼性を向上させることのできるフレキシブル回路基板を提供することを目的とするものである。
【課題を解決するための手段】
【００１２】
前述した目的を達成するため本発明に係るフレキシブル回路基板の特徴は、先端側がＬ字形状に屈曲した屈曲部とされ絶縁性素材からなる可撓性のフィルム基板を有し、該フィルム基板の一方の面に、導電性素材により所定パターンの電極が形成され、前記屈曲部の先端には、前記電極に連通され他の配線基板の電極端子に接続される接続端子が形成されているフレキシブル回路基板において、前記屈曲部の基端に、前記屈曲部の先端の延在方向と反対側に張り出す張出部が形成され、前記接続端子は前記他の配線基板の電極端子に接続されるとともに、前記張出部は前記他の配線基板に接着される点にある。
【００１３】
このような構成を採用したことにより、他の配線基板に接着された張出部により、捻れ方向に負荷が加わった際に接続部のエッジに応力が集中しても剥離が生じることを防止することができる。
【発明の効果】
【００１４】
本発明のフレキシブル回路基板によれば、狭接続幅化された他の配線基板の電極端子にフレキシブル回路基板の接続端子を接続しても、他の配線基板に接着された張出部により捻れ方向に負荷が加わった際に、接続部のエッジに応力が集中して剥離が生じることを防止することができ、電気的接続の信頼性を向上させることができる。
【発明を実施するための最良の形態】
【００１５】
以下、図面を用いて本発明のフレキシブル回路基板の実施形態について、液晶表示装置を一例として説明する。
【００１６】
図１は本実施形態のフレキシブル回路基板を採用した液晶表示装置の概略上面図、図２は図１の縦断面図である。
【００１７】
本実施形態の液晶表示装置１は、図１および図２に示すように、液晶表示素子２と、この液晶表示素子２の液晶駆動用のフレキシブル回路基板１１およびＩＣチップ１７を備えている。
【００１８】
前記液晶表示素子２は、ガラスやプラスチック等からなる一対の透明基板３，４を有しており、前記透明基板３には前記透明基板４よりも側方に張り出した電極端子部３ａが形成されている。
【００１９】
前記各透明基板３，４の表面には相互に対向するＩＴＯからなる透明電極５，６が形成されており、前記透明基板３の電極端子部３ａには、前記透明電極５が引き回された電極端子７が形成されている。また、前記電極端子部３ａの端縁に沿う方向に配列された電極端子７が形成されている。
【００２０】
そして、前記各透明基板３，４はそれぞれ透明電極形成面を対向させて配置され、前記各透明基板３，４の周縁部にはシール材８が配設されている。そして、このシール材８と前記各透明基板３，４からなる空間部に液晶９が封入されている。
【００２１】
つぎに、本実施形態のフレキシブル回路基板１１は、ポリイミド等の可撓性を有する絶縁性樹脂からなり、前記液晶表示素子２の電極端子部３ａの端縁に沿うように先端側がＬ字形状に屈曲した屈曲部１２ａが形成されるとともに、この屈曲部１２ａの基端には屈曲部１２ａの先端の延在方向と反対側に張り出す張出部１２ｂが形成され、先端側がほぼＴ字形状に形成されたフィルム基板１２を有している。
【００２２】
前記フィルム基板１２の一方の面には、前記屈曲部１２ａにまでわたって所定パターンに形成された銅箔等からなる電極１３が全体としてＬ字形状に形成されており、前記屈曲部１２ａの先端の電極１３を除いた電極１３の表面は絶縁性樹脂からなるカバーフィルム１４により被覆されている。
【００２３】
そして、露出した前記電極１３の表面にはニッケルおよび金などのメッキ１５が施され、前記液晶表示素子２の電極端子７に接続される接続端子１６が形成されている。
【００２４】
そして、前記液晶表示素子２の電極端子７上には、前記ＩＣチップ１７が実装されるとともに、前記フレキシブル回路基板１１の接続端子１６が接続され、さらに、前記フレキシブル回路基板１１の張出部１２ｂが接着剤等により前記液晶表示素子２の電極端子部３ａに接着されている。
【００２５】
以上説明した構成からなる本実施形態のフレキシブル回路基板１１によれば、液晶表示素子２の電極端子部３ａに接着された前記張出部１２ｂによりフレキシブル回路基板１１に捻れ方向の負荷が加わったとしても、従来のようにフレキシブル回路基板の接続部のエッジに応力が集中して剥離が生じることを防止することができる。このため、フレキシブル回路基板１１の液晶表示素子２に対する電気的接続の信頼性を向上させることができる。
【００２６】
なお、本発明は、前述した実施の形態に限定されるものではなく、必要に応じて種々の変更が可能である。例えば、本実施形態においては、フレキシブル回路基板１１が接続される配線基板として液晶表示素子２を一例として挙げているが、これに限定するものではなく狭接続幅化された他の配線基板、例えば有機ＥＬ表示素子であっても同様の効果を奏することができる。
【図面の簡単な説明】
【００２７】
【図１】本実施形態のフレキシブル回路基板を採用した液晶表示装置の概略上面図
【図２】図１の縦断面図
【図３】従来のフレキシブル回路基板が接続された液晶表示装置の概略上面図
【図４】図３の縦断面図
【符号の説明】
【００２８】
１  液晶表示装置
２  液晶表示素子
３，４  透明基板
５，６  透明電極
７  電極端子
８  シール材
９  液晶
１１  フレキシブル回路基板
１２  フィルム基板
１３  電極
１４  カバーフィルム
１５  メッキ
１６  接続端子
１７  ＩＣチップ
２１  液晶表示装置
２２  液晶表示素子
２３，２４  透明基板
２５，２６  透明電極
２７  電極端子
２８  シール材
２９  液晶
３１  フレキシブル回路基板
３２  フィルム基板
３３  電極
３４  カバーフィルム
３５  メッキ
３６  接続端子
３７  ＩＣチップ
【図１】
2007180221.tif 000003
【図２】
2007180221.tif 000004
【図３】
2007180221.tif 000005
【図４】
2007180221.tif 000006